(57)【要約】【課題】可撓性を有するシートを用いて防煙区画を形成するための区画形成面体を形成する技術に関連し、新規な技術を提案するものである。【解決手段】天井面に固定される枠材（上枠３）の長手方向に沿って移動可能な移動部材９１と、不燃シート７０の一端部を保持するための保持部材９２（図７）と、を有し、前記保持部材９２は、前記不燃シートの一端の高さを調整可能な高さ調整機構９０を有することを特徴とする防煙たれ壁２とする。【選択図】図１
2014104172.tif 000002
【特許請求の範囲】
【請求項１】
天井面に固定される枠材の長手方向に沿って移動可能な移動部材と、
不燃シートの一端部を保持するための保持部材と、を有し、
前記保持部材は、前記不燃シートの一端の高さを調整可能な高さ調整機構を有する、
防煙たれ壁。
【請求項２】
前記高さ調整機構が、
前記移動部材と前記保持部材とを連結する連結部材を備え、
前記連結部材は、
前記移動部材と前記保持部材との間隔を調整可能に構成される、
ことを特徴とする請求項１に記載の防煙たれ壁。
【請求項３】
前記移動部材が、
前記枠材の長手方向に沿って設けられたレール部に係合されて移動可能とされる、
ことを特徴とする請求項１又は請求項２に記載の防煙たれ壁。
【請求項４】
前記不燃シートの横幅方向の一端側を巻きつけるための軸部材と、
前記軸部材に設けられるラチェット歯車と、
前記ラチェット歯車に噛合するためのラチェット爪と、
を有する張力調整機構をさらに備える、
ことを特徴とする、請求項１乃至請求項３のいずれか一項に記載の防煙たれ壁。
【請求項５】
一対の棒状部材を有し、前記棒状部材の間に前記不燃シートの一端を挟持することで前記不燃シートを固定するシート固定機構と、
前記シート固定機構を、弾性体によって、前記不燃シートの横幅方向に付勢する張力調整機構と、
をさらに備える、
ことを特徴とする、請求項１乃至請求項４のいずれか一項に記載の防煙たれ壁。
【請求項６】
一端が枠材に取付けられ、他端が巻回される不燃シートを有するたれ壁であって、
前記不燃シートの高さ方向の一側端は、前記不燃シートの張設方向に移動可能な移動部材に取付けられる、
ことを特徴とする防煙たれ壁。
【請求項７】
前記移動部材は、
天井面に取付けられる枠材に設けられるレール部に沿って移動可能であり、
前記不燃シートの高さ方向の一側端は、
保持部材を介して前記移動部材に保持され、
前記保持部材と前記移動部材は、高さ調整部材により間隔が調整される、
ことを特徴とする請求項６に記載の防煙たれ壁。
【発明の詳細な説明】
【技術分野】
【０００１】
本発明は、建物の天井部に設けられる防煙たれ壁に関する。
【背景技術】
【０００２】
従来、例えば、特許文献１に開示されるように、大型店舗、オフィスビル、公共施設等の天井部分には、防煙たれ壁が配置されることが知られている。
【０００３】
この防煙たれ壁は、天井からパネル（板材）を垂下させることで防煙区画を形成し、火災時等において発生する煙の流動を防止又は遅らせることを目的として設けられる。
【０００４】
煙の流動を防止するためのパネル（板材）としては、従来、ガラス板やスチール板などが用いられるものであったが、パネルの重量が重く施工性が悪いことや、落下時・破損時における被害の防止を図る必要性などの課題が存在していた。
【０００５】
このような課題を解決する技術として、特許文献１では、ガラス繊維シート（パネル）を用いる構成が提案されている。
【０００６】
また、特許文献２では、可撓性を有し且つ透明性を備えたガラス繊維強化樹脂シートを用いる構成が提案されている。
【先行技術文献】
【特許文献】
【０００７】
【特許文献１】特開２００７−６０５７１号公報
【特許文献２】特開２００７−２９１０９号公報
【発明の概要】
【発明が解決しようとする課題】
【０００８】
しかしながら、特許文献１の構成では、表面積が広い板状のガラス繊維シート（パネル）を用いる構成であるため、大型の専用資材の準備の必要性、梱包の手間がかかること、運搬の手間やコストがかかること、などといった課題が残ることになる。
【０００９】
また、現場への搬入後は、施工時に表面に傷を付けないようにすることや、落下や衝突による欠け、ヒビの発生などが生じないよう、取り扱いには細心の注意が必要とされるものであった。
【００１０】
他方、特許文献２の構成では、シートが可撓性を有するため、特許文献１のような板状のガラス繊維シート（パネル）を使用する場合と比較して、課題は低減されるものである。
【００１１】
しかしながら、可撓性のシートを用いる構成とする場合には、施工後において、シートに皺（シワ）やたわみが生じてしまうことにより、美観上問題となることが懸念される。
【００１２】
本発明は、以上の問題点に鑑み、可撓性を有するシートを用いて防煙区画を形成するための区画形成面体を形成する技術について、新規な技術を提案するものである。
【課題を解決するための手段】
【００１３】
本発明の解決しようとする課題は以上の如くであり、次にこの課題を解決するための手段を説明する。
【００１４】
即ち、請求項１に記載のごとく、
天井面に固定される枠材の長手方向に沿って移動可能な移動部材と、
不燃シートの一端部を保持するための保持部材と、を有し、
前記保持部材は、前記不燃シートの一端の高さを調整可能な高さ調整機構を有する、
防煙たれ壁とする。
【００１５】
また、請求項２に記載のごとく、
前記高さ調整機構が、
前記移動部材と前記保持部材とを連結する連結部材を備え、
前記連結部材は、
前記移動部材と前記保持部材との間隔を調整可能に構成される、こととする。
【００１６】
また、請求項３に記載のごとく、
前記移動部材が、
前記枠材の長手方向に沿って設けられたレール部に係合されて移動可能とされる。
【００１７】
また、請求項４に記載のごとく、
前記不燃シートの横幅方向の一端側を巻きつけるための軸部材と、
前記軸部材に設けられるラチェット歯車と、
前記ラチェット歯車に噛合するためのラチェット爪と、
を有する張力調整機構をさらに備える、こととする。
【００１８】
また、請求項５に記載のごとく、
一対の棒状部材を有し、前記棒状部材の間に前記不燃シートの一端を挟持することで前記不燃シートを固定するシート固定機構と、
前記シート固定機構を、弾性体によって、前記不燃シートの横幅方向に付勢する張力調整機構と、
をさらに備える、こととする。
【００１９】
また、請求項６に記載のごとく、
一端が枠材に取付けられ、他端が巻回される不燃シートを有するたれ壁であって、
前記不燃シートの高さ方向の一側端は、前記不燃シートの張設方向に移動可能な移動部材に取付けられる、ことを特徴とする防煙たれ壁とする。
【００２０】
また、請求項７に記載のごとく、
前記移動部材は、
天井面に取付けられる枠材に設けられるレール部に沿って移動可能であり、
前記不燃シートの高さ方向の一側端は、
保持部材を介して前記移動部材に保持され、
前記保持部材と前記移動部材は、高さ調整部材により間隔が調整される、
ことを特徴とする請求項６に記載の防煙たれ壁とする。
【発明の効果】
【００２１】
本発明の効果として、以下に示すような効果を奏する。
【００２２】
即ち、請求項１に記載の発明においては、不燃シートに作用する上下方向の張力を調整することができ、不燃シートに適度なテンションを生じさせることができる。また、皺（シワ）やたわみが発生する場合には、その張力を適宜調整することで、この皺（シワ）やたわみを無くすことができる。また、天井面の水平レベルが良好でない場合であっても、不燃シートがたれてしまうことがなく、不燃シートを水平に張ることができる。また、設置後も、季節変動、空調変動による室温、湿度の変化や経年変化によるシートの伸びなどによって、不燃シートの表面に皺（シワ）の発生した場合でも、皺（シワ）を無くすための調整を容易に行うことができる。
【００２３】
また、請求項２に記載の発明においては、簡易な構成で高さ調整機構を実現することができる。
【００２４】
また、請求項３に記載の発明においては、適宜高さ調整機構が上枠の長手方向にずれることによって、不燃シートの横幅方向において局所的に大きな張力が生じることが防がれ、皺（シワ）を発生し難くすることができる。
【００２５】
また、請求項４に記載の発明においては、不燃シートに作用する横幅方向の張力を調整することができ、不燃シートに適度なテンションを生じさせることができる。また、皺（シワ）やたわみが発生する場合には、その張力を適宜調整することで、この皺（シワ）やたわみを無くすことができる。また、設置後も、季節変動、空調変動による室温、湿度の変化や経年変化によるシートの伸びなどによって、不燃シートの表面に皺（シワ）の発生した場合でも、皺（シワ）を無くすための調整を容易に行うことができる。
【００２６】
また、請求項５に記載の発明においては、不燃シートに作用する横幅方向の張力を調整することができ、不燃シートに適度なテンションを生じさせることができる。また、皺（シワ）やたわみが発生する場合には、その張力を適宜調整することで、この皺（シワ）やたわみを無くすことができる。また、設置後も、季節変動、空調変動による室温、湿度の変化や経年変化によるシートの伸びなどによって、不燃シートの表面に皺（シワ）の発生した場合でも、皺（シワ）を無くすための調整を容易に行うことができる。
【００２７】
また、請求項６に記載の発明においては、不燃シートを送り出しながら、一定間隔送り出したところで移動部材で不燃シートを挟持しながら展開させるようにして、不燃シートを設置することができる。
【００２８】
また、請求項７に記載の発明においては、簡易な構成で高さ調整機構を実現することができる。
【図面の簡単な説明】
【００２９】
【図１】防煙たれ壁の全体概要について示す正面図である。
【図２】区画形成面体の構成について説明する正面図である。
【図３】高さ調整機構の配置などについて示す断面図である。
【図４】不燃シートの横幅方向における一方のシート固定機構について示す側面一部拡大図である。
【図５】不燃シートの横幅方向における一方のシート固定機構について示す断面図である。
【図６】不燃シートの横幅方向における他方のシート固定機構について示す断面図である。
【図７】張力調整機構の実施形態について示す断面図である。
【図８】（Ａ）は高さ調整機構の他の実施形態について示す断面図である。（Ｃ）は高さ調整機構のその他の実施形態について示す断面図である。
【図９】（Ａ）は枠の施工などについて示す図である。（Ｂ）は区画形成面体の施工などについて示す図である。
【図１０】複数の区画形成面体を用い、全体として幅の広い防煙たれ壁を構成する例について示す図である。
【図１１】張力調整機構の他の実施形態について示す断面図である。
【発明を実施するための形態】
【００３０】
以下、本発明の実施形態を図面に基づいて説明する。
図１は本発明の一実施形態について示す正面図であり、天井面１から垂れ下がるように防煙たれ壁２が設けられる様子が示されている。
【００３１】
防煙たれ壁２は、天井面１に付設される長尺の上枠３と、上枠３の長手方向両端部において天井面１から下方に伸びるように設けられる端部縦枠４，５と、これらの枠（３，４，５）により囲まれる部位を閉鎖するように設けられる区画形成面体７と、を有して構成される。
【００３２】
区画形成面体７は、可撓性を有する不燃シート７０を有している。不燃シート７０の素材としては、関連法規に適合する不燃材料が採用されるものであり、また、透明、半透明、不透明などの各種の仕様を採用することが考えられる。
【００３３】
区画形成面体７の不燃シート７０の上部は、上枠３に対して取付けられる高さ調整機構９０，９０を介して、上枠３に対して吊り下げられる。
【００３４】
区画形成面体７の不燃シート７０の側部は、その一方の端部が端部縦枠４内に収められ、他方の端部が端部縦枠５内に収められ、端部縦枠４，５の間で張力（テンション）がはられた状態で設けられる。
【００３５】
端部縦枠４，５の下端部の開放部は、下部カバー４Ｃ，５Ｃによって閉鎖される。
【００３６】
以上のような防煙たれ壁２により、その表側となる空間と、裏側となる空間とが区画され、一方の空間から他方の空間への煙の流動（拡散、移動）を妨げることが可能となる。なお、各枠（３，４，５）は、アルミ押出成型材などの不燃性の長尺部材にて構成することができる。
【００３７】
図２は、区画形成面体７の全体構成について示す正面図であり、区画形成面体７は、可撓性を有する不燃シート７０と、不燃シート７０の横幅方向Ｗの一側の縦辺部７０ｂが接続されるシート固定機構７１と、不燃シート７０の横幅方向Ｗの他側の縦辺部７０ｃが接続されるシート固定機構７２と、を有して構成される。
【００３８】
不燃シート７０は、その横幅方向Ｗの端部がシート固定機構７１，７２に接続されつつ、シート固定機構７１，７２の間において、所定の縦幅寸法Ｈ１、横幅寸法Ｗ１を有する矩形を形成できるようになっている。本実施形態では、シート固定機構７１に不燃シート７０の一端が巻きつけられるとともに、このシート固定機構７１に対する巻きつけ量を調整することによって、横幅寸法Ｗ１の調整ができるようになっている。
【００３９】
次に、図３乃至図５に示されるシート固定機構７１について説明する。
シート固定機構７１は、軸部材７１Ａと、軸部材７１Ａの上下端部にそれぞれ固定されるラチェット歯車７１Ｂ，７１Ｃと、ラチェット歯車７１Ｂ，７１Ｃからそれぞれ上下方向に突出される回転軸部７１Ｄ，７１Ｅと、端部縦枠４に対し回転不能に係止されつつ軸部材７１Ａを回転可能に保持するブラケット７１Ｆ，７１Ｇと、ラチェット歯車７１Ｂに噛合するラチェット爪７１Ｈと、を有して構成される。
【００４０】
軸部材７１Ａは、不燃シート７０の縦幅寸法Ｈ１（図２）よりも長い長尺の筒状部材であって、アルミ押出成型材などの中空部材で構成できる。軸部材７１Ａの表面には、不燃シート７０の一端が両面テープ、或いは、接着剤などで貼着され、軸部材７１Ａに対して不燃シート７０を巻きつけることができるようになっている。
【００４１】
軸部材７１Ａの上端部には、ネジなどによってラチェット歯車７１Ｂが固定されており、ラチェット歯車７１Ｂの歯溝が縦方向に配置されるようになっている。ラチェット歯車７１Ｂの軸中心からは、上方に向けて断面略四角形状の回転軸部７１Ｄが突設されており、回転軸部７１Ｄを図示せぬ工具（スパナなど）で回転操作することで、軸部材７１Ａとラチェット歯車７１Ｂが一体的に回転される。
【００４２】
回転軸部７１Ｄは、ブラケット７１Ｆの上面部７１ａに形設された丸穴７１ｂから上方に突出され、丸穴７１ｂによって軸承された状態となっている。ブラケット７１Ｆは、端部縦枠４内に収められる板状の部材で構成され、水平の面を構成する上面部７１ａと、上面部７１ａの一側端部から下方に向かって垂設される縦面部７１ｃを有し、略Ｌ字状をなすように構成されている。
【００４３】
図５に示すように、ブラケット７１Ｆの縦面部７１ｃの見込方向Ｍの両端部は、端部縦枠４に対向して形設される縦溝部４ａ，４ｂに摺動可能に挿入されており、これにより、ブラケット７１Ｆの上面部７１ａが端部縦枠４に対して回転不能に留め付けられた状態とされる。なお、ブラケット７１Ｆは、図示せぬボルトによって壁面２１に固定、または縦溝部４ａ，４ｂを潰すことで定位置に保持することが可能となる。
【００４４】
同様に、図４に示すごとく、軸部材７１Ａの下端部には、ネジなどによってラチェット歯車７１が固定されており、ラチェット歯車７１Ｃの歯溝が縦方向に配置されるようになっている。ラチェット歯車７１Ｃの軸中心からは、下方に向けて断面略四角形状の回転軸部７１Ｅが突設されている。なお、ラチェット歯車７１Ｃの代わりに歯車のない部材を用いることなどにより、軸部材７１Ａの下端部から回転軸部７１Ｅが突設される構成としてもよい。
【００４５】
回転軸部７１Ｅは、ブラケット７１Ｇの下面部７１ｅに形設された丸穴７１ｆから下方に突出され、丸穴７１ｆによって軸承された状態となっている。ブラケット７１Ｇは、端部縦枠４内に収められる板状の部材で構成され、水平の面を構成する下面部７１ｅと、下面部７１ｅの一側端部から上方に向かって垂設される縦面部７１ｇを有し、略Ｌ字状をなすように構成されている。
【００４６】
ブラケット７１Ｇの縦面部７１ｇの見込方向Ｍの両端部は、端部縦枠４に対向して形設される縦溝部４ａ，４ｂ（図５）に摺動可能に挿入されており、これにより、ブラケット７１Ｇの下面部７１ｅが端部縦枠４に対して回転不能に留め付けられた状態とされる。なお、ブラケット７１Ｇは、図示せぬボルトによって壁面２１に固定、または縦溝部４ａ，４ｂを潰すことで定位置に保持することが可能となる。
【００４７】
ブラケット７１Ｆの上面部７１ａの下面側には、ラチェット歯車７１Ｂに噛合するラチェット爪７１Ｈが設けられている。ラチェット爪７１Ｈは、その先端部がラチェット歯車７１Ｂに噛合した状態が維持されるように、コイルバネ７１ｄによって付勢されている。
【００４８】
回転軸部７１Ｄの回転操作により、コイルバネ７１ｄによる付勢力に抗する力が付与されると、ラチェット爪７１Ｈがラチェット歯車７１Ｂの歯溝から脱落して、次の歯溝に対してラチェット爪７１Ｈが噛合した位置でラチェット歯車７１Ｂの回転が規制される。
【００４９】
そして、この回転軸部７１Ｄの回転操作により、軸部材７１Ａに対する不燃シート７０の巻きつけ量が増やされることにより、不燃シート７０に張力（テンション）が付与されることになる。
【００５０】
以上のようにして、回転軸部７１Ｄの回転操作によって不燃シート７０を横幅方向Ｗにおいて引っ張ることが可能となり、不燃シート７０の横幅方向Ｗの張力を調整することができる張力調整機構７５を構成することができる。なお、ラチェット爪７１Ｈのラチェット歯車７１Ｂとの噛合を開放することで、張力を緩めることができる。
【００５１】
次に、図２及び図６に示されるシート固定機構７２について説明する。
シート固定機構７２は、一対の棒状部材７２Ａ，７２Ｂを有し、棒状部材７２Ａ，７２Ｂの間に不燃シート７０の他端を挟持することで、シート固定機構７２に対して不燃シート７０が固定されるようになっている。
【００５２】
棒状部材７２Ａ，７２Ｂは、同一形状をなすものであり、不燃シート７０の縦幅寸法Ｈ１（図２）よりも長い長尺部材であって、アルミ押出成型材などからなる棒状の部材で構成できる。
【００５３】
棒状部材７２Ａは、略長方形状の断面を有し、断面において長辺を構成する二辺の一方には突条部７２ａが形成され、他方には突条部７２ａを挿入し得る凹状部７２ｂが形成される。棒状部材７２Ａ，７２Ｂは同一の断面形状を有し、両者の間に不燃シート７０の端部（縦辺部７０ｃ）を挟み込むとともに、棒状部材７２Ａの凹状部７２ｂに対し、棒状部材７２Ｂの突条部７２ａを挿入することで、突条部７２ａによって、不燃シート７０の端部が挟持される。不燃シート７０の端部を挟持させた状態で、棒状部材７２Ａ，７２Ｂに対して不燃シート７０を一周巻きつけることで、不燃シート７０の端部を棒状部材７２Ａ，７２Ｂに対して仮固定することができる。
【００５４】
この不燃シート７０の端部を挟持するための荷重は、端部縦枠５に形設される保持部５ａに、棒状部材７２Ａ，７２Ｂを挿し込むことによって付与することができる。保持部５ａは、端部縦枠５の見付面部５ｃと、見付面部５ｃから突設される保持面５ｆと、見付面部５ｃに対向する保持面５ｂによって囲まれる隙間５ｓの部位によって形成される。保持面５ｂは、端部縦枠５の見込面部５ｄから突設されており、棒状部材７２Ａ，７２Ｂが保持部５ａに挿入された際に撓むことで反力を生じさせ、当該反力によって、棒状部材７２Ａ，７２Ｂを見付面部５ｂとの間で挟持するようにしている。なお、不燃シート７０の端部を接着剤にて棒状部材７２Ａ，７２Ｂに固定することや、不燃シート７０の端部をビスなどの固定具にて棒状部材７２Ａ，７２Ｂに対して固定することなどをしてもよい。
【００５５】
次に、区画形成面体７が取付けられる端部縦枠４，５、上枠３（図１）について説明する。
図５に示すごとく、端部縦枠４は、断面視略Ｌ字状の縦枠本体４Ａと、縦枠本体４Ａに対して嵌着される断面視略Ｌ字状の縦枠カバー４Ｂと、を有して構成される。
【００５６】
縦枠本体４Ａは、見付面部４ｃと、壁面２１に固定される見込面部４ｄを有している。見付面部４ｃにおいて、見込面部４ｄと反対側の端部には、不燃シート７０に対して接触する突面部４ｅが突設されている。この突面部４ｅは、その突端の縦縁４ｎが、見込方向Ｍにおいて、軸部材７１Ａの見付面部４ｃに最も近い点７１ｍよりも、軸部材７１Ａの中心Ｃに近い側（見付面部４ｃから遠い側）に配置され、これにより、突面部４ｅの縦縁４ｎを不燃シート７０の表面に接触させる構成が実現される。
【００５７】
そして、この縦縁４ｎに接触することで、縦枠本体４Ａ内外の張力（テンション）が分断され、縦枠本体４Ａ内において不燃シート７０に皺（シワ）が生じていた場合でものその皺（シワ）の縁を切ることができ、縦枠本体４Ａよりも外側に現れる不燃シート７０の部位を美観よく張ることが可能となる。
【００５８】
縦枠カバー４Ｂは、見付面部４ｇと、見込面部４ｈを有している。見付面部４ｇにおいて、見込面部４ｈと反対側の端部４ｖは、縦枠本体４Ａの見込面部４ｄから見付方向に突設して形成された嵌合溝部４ｗに対して嵌合固定される。このような嵌合固定の構成により、縦枠カバー４Ｂは、縦枠本体４Ａに対して着脱可能に構成することができる。
【００５９】
縦枠本体４Ａの突面部４ｅと、縦枠カバー４Ｂの見込面部４ｈの間には隙間４ｐが確保され、この隙間４ｐに不燃シート７０が通されるようになっている。
【００６０】
図６に示すごとく、端部縦枠５は、断面視略Ｌ字状の縦枠本体５Ａと、縦枠本体５Ａに対して嵌着される断面視略Ｌ字状の縦枠カバー５Ｂと、を有して構成される。
【００６１】
縦枠本体５Ａは、見付面部５ｃと、壁面２２に固定される見込面部５ｄを有している。見付面部５ｃにおいて、見込面部５ｄと反対側の端部には、不燃シート７０に対して接触する突面部５ｅが突設されている。この突面部５ｅは、その突端の縦縁５ｎが、見込方向Ｍにおいて、見付面部５ｃから突設される保持面５ｆよりも、見付面部５ｃから遠い側に配置され、これにより、突面部５ｅの縦縁５ｎを不燃シート７０の表面に接触させる構成が実現される。
【００６２】
そして、この縦縁５ｎに接触することで、縦枠本体５Ａ内外の張力（テンション）が分断され、縦枠本体４５内において不燃シート７０に皺（シワ）が生じていた場合でものその皺（シワ）の縁を切ることができ、縦枠本体５Ａよりも外側に現れる不燃シート７０の部位を美観よく張ることが可能となる。
【００６３】
縦枠カバー５Ｂは、見付面部５ｇと、見込面部５ｈを有している。見付面部５ｇにおいて、見込面部５ｈと反対側の端部５ｖは、縦枠本体５Ａの見込面部５ｄから見付方向に突設して形成された嵌合溝部５ｗに対して嵌合固定される。このような嵌合固定の構成により、縦枠カバー５Ｂは、縦枠本体５Ａに対して着脱可能に構成することができる。
【００６４】
縦枠本体５Ａの突面部５ｅと、縦枠カバー５Ｂの見込面部５ｈの間には隙間５ｐが確保され、この隙間５ｐに不燃シート７０が通されるようになっている。不燃シート７０は、縦枠本体５Ａの保持面５ｆに接触するとともに、突面部５ｅに接触するようになっている。
【００６５】
図７に示すごとく、上枠３は、断面視略Ｌ字状の上枠本体３Ａと、上枠本体３Ａに対して嵌着される断面視略Ｌ字状の上枠カバー３Ｂと、を有して構成される。
【００６６】
上枠本体３Ａは、見付面部３ｃと、上面部３ｄを有している。見付面部３ｃは上面部３ｄから垂設するように設けられ、見付面部３ｃには、高さ調整機構９０を吊設するための断面視略Ｌ字状のレール部３ａが形成されている。
【００６７】
上面部３ｄは、天井面１に対して付設され、天井裏にあるフレームなどの固定部に対し、ボルトなどの固定具によって固定されることで、上枠本体３Ａが天井面１に吊設された状態とされる。
【００６８】
見付面部３ｃに形設されるレール部３ａは、上枠本体３Ａの長手方向の全長に渡って設けられ、レール部３ａに対して高さ調整機構９０がスライド移動な状態で吊り下げられるようになっている。レール部３ａは、見付面部３ｃから水平方向に突設される横面部３ｍと、横面部３ｍの先端から上方に立ち上げられる縦面部３ｖとを有して構成される。
【００６９】
上枠カバー３Ｂは、見付面部３ｇと、下面部３ｈを有している。見付面部３ｇにおいて、下面部３ｈと反対側の端部３ｘは、上枠本体３Ａの上面部３ｄの端部に形成した係止部３ｗに係止される。また、見付面部３ｇの上部が、上面部３ｄから垂下される取付面部３ｊに対して図示せぬ固定具により固定される。このような固定の構成により、上枠カバー３Ｂは、上枠本体３Ａに対して着脱可能に構成することができる。
【００７０】
上枠本体３Ａの見付面部３ｃの下端部から水平方向に突設される突面部３ｅと、上枠カバー３Ｂの下面部３ｈの間には隙間３ｐが確保され、この隙間３ｐに不燃シート７０が通されるようになっている。
【００７１】
また、上枠本体３Ａの見付面部３ｃは、端部縦枠４の突面部４ｅに突設された位置決め用の突条部４ｙ（図５）、及び、端部縦枠５の突面部５ｅに突設された位置決め用の突条部５ｙ（図６）に対し、当接するように構成されており、これにより、上枠３を端部縦枠４，５に対して位置決めできるようになっている。仮に、突条部４ｙ，５ｙが存在しない場合には、上枠３の見込方向の位置決めを行うことができず、施工のバラつきや、位置決めのための手間を要することになる。
【００７２】
次に、図３及び図７に示すごとく、上枠３に対して吊り下げられる高さ調整機構９０について説明する。
高さ調整機構９０は、上枠３のレール部３ａに係合する移動部材９１と、不燃シート７０の上端部を保持するための保持部材９２と、移動部材９１と保持部材９２の間の距離を調節可能に連結する連結部材９３と、を有して構成される。高さ調整機構９０は、不燃シート７０の横幅方向Ｗの複数箇所を、所定の間隔で上枠３に対して吊り下げるためのものである。
【００７３】
図７に示すごとく、移動部材９１は、水平方向の面を構成する板面部９１ａと、板面部９１ａの見込方向の一側端部に設けられる係合部９１ｂを有している。板面部９１ａには、上下方向の貫通穴９１ｈが形設されており、貫通穴９１ｈに上側から連結部材９３の軸部９３ａが挿通される。
【００７４】
移動部材９１の係合部９１ｂは、見込方向Ｍに間隔を空けて配置される縦面部９１ｃ，９１ｄと、縦面部９１ｃ，９１ｄの上端を繋ぐ横面部９１ｅを有しており、縦面部９１ｃ，９１ｄと横面部９１ｅにより下方が開放される溝部９１ｇが形成される。
【００７５】
この溝部９１ｇに、上枠３のレール部３ａの縦面部３ｖが差し込まれるようにして、移動部材９１がレール部３ａに対して吊設された状態となる。
【００７６】
保持部材９２は、水平方向の面を構成する板面部９２ａと、板面部９２ａの見込方向の一側端部に設けられる当て面部９２ｂと、当て面部９２ｂに対向する縦面部９２ｃと、縦面部９２ｃに設けられるストッパー部９２ｄと、を有している。板面部９２ａには、上下方向の貫通穴９２ｈが形設されており、貫通穴９１ｈに上側から連結部材９３の軸部９３ａが挿通される。
【００７７】
ストッパー部９２ｄは、縦面部９２ｃの下端に回動可能に設けられており、ストッパー部９２ｄと当て面部９２ｂの間において、不燃シート７０の上端部が挟持される。
【００７８】
ストッパー部９２ｄと当て面部９２ｂのそれぞれにおいて、互いに対向する部位には、側面視において鋸刃状の形状をなす、噛合面部９２ｅ，９２ｆがそれぞれ形成されており、不燃シート７０を間に挟んだ状態において、当て面部９２ｂに対しストッパー部９２ｄの回動が規制され、ストッパー部９２ｄの角度を維持できる構成となっている。
【００７９】
また、ストッパー部９２ｄには、下方に突設する摘み部９２ｇが形成されており、この摘み部９２ｇを摘んでカムのようにストッパー部９２ｄを回動操作できるようになっている。
【００８０】
連結部材９３は、本実施形態では、軸部９３ａと頭部９３ｂを有するボルトにて構成されている。軸部９３ａには、ナット体９３ｃ，９３ｄ，９３ｅが取付けられ、軸部９３ａとナット体９３ｃの間に移動部材９１の板面部９１ａが挟み込まれることで、移動部材９１と連結部材９３が固定される。同様に、ナット体９３ｄ，９３ｅの間に保持部材９２の板面部９２ａが挟み込まれるようにして、保持部材９２と連結部材９３が固定される。
【００８１】
以上のようにして、移動部材９１と保持部材９２とが連結部材９３によって連結される。また、適宜ナット体９３ｄ，９３ｅを緩めることで、保持部材９２の連結部材９３に対する固定位置を調整することができる。
【００８２】
そして、このように保持部材９２の位置、つまりは、高さ方向の位置を調整することにより、上下方向Ｈにおいて不燃シート７０が引っ張られる、或いは、緩められることになり、不燃シート７０に付与される張力を調整できるとともにシート下端部を水平に保持するための調整が可能となる。
【００８３】
なお、高さ調整機構９０は、上枠３において上枠本体３Ａと上枠カバー３Ｂによって囲まれる空間３Ｋ内に収容されるものであり、当て面部９２ｂの下端部には、上枠本体３Ａの突面部３ｅに引っ掛かることがなく、容易に乗り上がって空間３Ｋ内に収容されやすくするための傾斜面部９２ｋが形成されている。つまり、不燃シート７０をストッパー部９２ｄ、当て面部９２ｂに挟み込む際に施工性の観点からナット体９３ｄ，９３ｅを緩め保持部材９２を下げることが考えられる。そのとき突面部３ｅを越えて傾斜面部９２ｋを下に持ち出す必要があるが、シート挟持後、再び、ナット体を締め込み、保持部材を上昇させた際に、傾斜面部９２ｋの傾斜によって突面部３２ｅに引っかかることなく上昇可能とすることができる。
【００８４】
また、図７に示す高さ調整機構９０の構成とするほか、図８（Ａ）に示すように、保持部材９２Ａについて、ストッパー９２ｖと当て面部９２ｗの間に不燃シート７０を挟んでボルト固定を行う構成とすることも考えられる。
【００８５】
さらに、図８（Ｂ）に示すごとく、移動部材９１Ｍを上枠本体３Ｍに吊設するとともに、保持部材９２Ｍの下側から連結部材９３Ｍを挿通して、連結部材９３Ｍを下方から移動部材９１Ｍに対して螺挿する形態としてもよい。
【００８６】
次に図９を用いて防煙たれ壁２の施工手順について説明する。
まず、図９（Ａ）に示すごとく、天井面１に対して上枠本体３Ａ、壁面２１，２２に対してそれぞれ縦枠本体４Ａ，５Ａを付設する。
【００８７】
次いで、不燃シート７０端部の一方をシート固定機構７１に接着固定し、軸部材７１Ａに巻きつける。不燃シート７０のもう一方の端部をシート固定機構７２に対し、接着やビス固定などで取付ける。
【００８８】
次いで、シート固定機構７１について、図４に示すブラケット７１Ｆ，７１Ｇを縦枠本体４Ａに対し仮固定し、軸部材７１Ａを回転可能な状態とする。
【００８９】
次いで、シート固定機構７２を縦枠本体５Ａに向かって引っ張り、シート固定機構７１から不燃シート７０を送り出しながら、一定間隔送り出したところで高さ調整機構９０を用い、順次不燃シート７０を挟持しながら展開させる。
【００９０】
次いで、シート固定機構７２を縦枠本体５Ａに至るまで送り出した後に、縦枠本体５Ａの下側から挿入し、天井方向へスライドさせることにより、シート固定機構７２を縦枠本体５Ａに対して嵌め込む。なお、この嵌め込みは、保持面５ｂ（図６）を撓ませることにより、横方向から行ってもよい。
【００９１】
次いで、シート固定機構７１について、図４に示すブラケット７１Ｆ，７１Ｇを縦枠本体４Ａに対し適当な位置で固定する。
【００９２】
次いで、シート固定機構７１について、図４に示す回転軸部７１Ｄを工具を用いて回転させ、不燃シート７０に適度な張力（テンション）を与える。
【００９３】
また、このシート固定機構７１の回転による張力調整機構７５調整と、高さ調整機構９０による高さ方向の位置の調整を行うことにより、不燃シート７０の横幅方向Ｗ、及び、上下方向Ｈの張力を調整し、不燃シート７０に適度な張力（テンション）が生じさせられる。また、皺（シワ）やたわみが発生する場合には、その張力を適宜調整することで、この皺（シワ）やたわみを無くすことができる。
【００９４】
そして、ここでの調整作業は、例えば、スパナや六角レンチなどの工具を用いて容易に行うことができ、施工性に優れたものとすることができる。
【００９５】
次いで、上枠カバー３Ｂを上枠本体３Ａに対して取り付ける。また、縦枠カバー４Ｂ，５Ｂを縦枠本体４Ａ，５Ａに対して取付ける。なお、縦枠カバー４Ｂ，５Ｂを縦枠本体４Ａ，５Ａに取付けた後に、下部カバー４Ｃ，５Ｃがそれぞれ、縦枠本体４Ａ，５Ａ、縦枠カバー４Ｂ，５Ｂの下端部に取り付けられ、縦枠本体４Ａ，５Ａ、縦枠カバー４Ｂ，５Ｂの下端部が下部カバー４Ｃ，５Ｃによって閉じられる。
【００９６】
以上のようにして、図１に示される防煙たれ壁２を設置することができ、可撓性を有する不燃シート７０によって、その表側となる空間と、裏側となる空間とを区画することができる。
【００９７】
なお、図１０示すごとく、複数の区画形成面体７Ａ，７Ｂを用い、全体として幅の広い防煙たれ壁２Ａを構成することもできる。この場合、各区画形成面体７Ａ，７Ｂの間には、方立として機能する中間縦枠４５，４６が設置されることとする。この中間縦枠４５，４６は、上述した端部縦枠５にて実現することができる。また、この間縦枠４５，４６は、二本枠で構成するほか、一本の枠で構成してもよい。
【００９８】
また、以上の実施形態において、図３乃至図５に示されるシート固定機構７１、７２の一方または双方に代えて、図１１に示されるシート固定機構５１を採用することとしてもよい。
【００９９】
このシート固定機構５１では、一対の棒状部材５１Ａ，５１Ｂを有し、棒状部材５１Ａ，５１Ｂの間に不燃シート７０の一端を挟持することで、シート固定機構５１に対して不燃シート７０が固定されるようになっている。
【０１００】
そして、このシート固定機構５１が、端部縦枠４０の上下方向複数箇所に設けられる張力調整機構６０によって一側方向、つまりは、不燃シート７０がテンションを張る方向に付勢されるようになっている。
【０１０１】
張力調整機構６０は、端部縦枠４０の縦枠本体４０Ａに固定されるブラケット５２と、ブラケット５２に対して位置調整可能に設けられるストッパー５３と、ストッパー５３とシート固定機構５１の間に介設される弾性体５４と、を有して構成される。
【０１０２】
より詳しく説明すると、端部縦枠４０の縦枠本体４０Ａの見込面部４０ｄには、見込面部４０ｄと平行な内側板面部４１が設けられており、内側板面部４１の上下方向複数箇所には、ボルト４２を螺挿するための図示せぬネジ穴が形設されている。
【０１０３】
そして、内側板面部４１に対しブラケット５２がボルト４２にて固定される。ブラケット５２は、内側板面部４１に当接する固定面部５２ａと、固定面部５２ａから不燃シート７０の横幅方向Ｗ（見付方向Ｎ）に向かって伸びる見付面部５２ｂと、を有している。
【０１０４】
見付面部５２ｂには、見込方向Ｍに伸びる突面部５２ｃ，５２ｄが二箇所に設けられており、突面部５２ｃ，５２ｄに対するねじ込み量によって位置調整が可能なストッパー５３として機能するボルト５３ａが螺挿される。
【０１０５】
端部縦枠４０の縦枠本体４０Ａには、見付面部４０ｃと平行な内側見付面部４０ｅが形成されており、この内側見付面部４０ｅに対して、ブラケット５２の見付面部５２ｂが対面するように配置されるとともに、内側見付面部４０ｅとブラケット５２の見付面部５２ｂの間の隙間に、シート固定機構５１を収める収容空間５６が形成されるようになっている。
【０１０６】
そして、収容空間５６に配置されたボルト５３ａの先端と、シート固定機構５１の間には、弾性体５４が挟装され、この弾性体５４により生じる付勢力をストッパー５３のねじ込み量によって調整することによって、不燃シート７０の張力を調整することができるようになっている。
【０１０７】
なお、この実施形態では、圧縮バネにて弾性体５４を構成するとともに、弾性体５４が脱落しないようにスペーサー５５を弾性体５４とストッパー５３の間に挟装することとしている。また、図３乃至図５に示されるシート固定機構７１、７２の双方に代えて、図１１に示されるシート固定機構５１を採用する場合には、圧縮バネなどの弾性体５４のサイズを小さくすることが可能となる。
【０１０８】
以上のようにして、弾性体５４の付勢力を調整することによって不燃シート７０の張力を調整することができる張力調整機構６０を構成することができる。なお、図１１の実施形態において、図６に示される構造と共通する箇所については説明を省略する。
【０１０９】
以上のような構成により、本発明を実施することができる。
即ち、図１乃至図３、及び、図７に示すごとく、天井面に固定される枠材（上枠３）の長手方向に沿って移動可能な移動部材９１と、不燃シート７０の一端部を保持するための保持部材９２（図７）と、を有し、前記保持部材９２は、前記不燃シートの一端の高さを調整可能な高さ調整機構９０を有することを特徴とする防煙たれ壁２とするものである。
【０１１０】
これにより、不燃シート７０に作用する上下方向Ｈの張力を調整することができ、不燃シート７０に適度なテンションを生じさせることができる。また、皺（シワ）やたわみが発生する場合には、その張力を適宜調整することで、この皺（シワ）やたわみを無くすことができる。また、天井面１の水平レベルが良好でない場合であっても、不燃シート７０がたれてしまうことがなく、不燃シート７０を水平に張ることができる。また、設置後も、季節変動、空調変動による室温、湿度の変化や経年変化によるシートの伸びなどによって、不燃シート７０の表面に皺（シワ）の発生した場合でも、皺（シワ）を無くすための調整を容易に行うことができる。
【０１１１】
また、図７に示すごとく、高さ調整機構９０が、移動部材９１と保持部材９２とを連結する連結部材９３を備え、連結部材９３は、移動部材９１と保持部材９２との間隔を調整可能に構成されることを特徴とする防煙たれ壁とする。
【０１１２】
これにより、簡易な構成で高さ調整機構９０を実現することができる。
【０１１３】
なお、本発明の構成では、軽量であるため、吊設された状態での静荷重が小さく、振動を受けたとしても落下し難い構成となる。また、天井内の軽量下地などの保持力も少ないものですむ。また、落下した場合でも、破損することがないため、復旧期間が短くすむ。また、設置に際してコーキング材を用いることがなく、施工時間の短縮・劣化の回避が期待できる。
【０１１４】
また、前記移動部材９１が、枠材の長手方向に沿って設けられたレール部３ａに係合されて移動可能とされる、こととしている。
【０１１５】
これにより、適宜高さ調整機構９０が上枠３の長手方向にずれることによって、不燃シート７０の横幅方向において局所的に大きな張力が生じることが防がれ、皺（シワ）を発生し難くすることができる。
【０１１６】
また、高さ調整機構９０の保持部材９２は、不燃シート７０を着脱可能に保持する、こととしている。
【０１１７】
これにより、経年などにより不燃シート７０の交換の必要が生じた際には、不燃シート７０を容易に交換できる。
【０１１８】
また、図１乃至図４に示すごとく、不燃シート７０の横幅方向Ｗの一端側を巻きつけるための軸部材７１Ａと、軸部材７１Ａに設けられるラチェット歯車７１Ｂと、ラチェット歯車７１Ｂに噛合するためのラチェット爪７１Ｈと、を有する張力調整機構７５をさらに備える、防煙たれ壁２とする。
【０１１９】
これにより、不燃シート７０に作用する横幅方向Ｗの張力を調整することができ、不燃シート７０に適度なテンションを生じさせることができる。また、皺（シワ）やたわみが発生する場合には、その張力を適宜調整することで、この皺（シワ）やたわみを無くすことができる。また、設置後も、季節変動、空調変動による室温、湿度の変化や経年変化によるシートの伸びなどによって、不燃シート７０の表面に皺（シワ）の発生した場合でも、皺（シワ）を無くすための調整を容易に行うことができる。
【０１２０】
また、図１１に示すごとく、一対の棒状部材５１Ａ，５１Ｂを有し、棒状部材５１Ａ，５１Ｂの間に不燃シート７０の横幅方向の一端を挟持することで不燃シート７０を固定するシート固定機構５１と、シート固定機構５１を、弾性体５４によって、不燃シート７０の横幅方向Ｗ（見付方向Ｎ）に付勢する張力調整機構６０と、をさらに有する、防煙たれ壁２とする。
【０１２１】
これにより、不燃シート７０に作用する横幅方向Ｗの張力を調整することができ、不燃シート７０に適度なテンションを生じさせることができる。また、皺（シワ）やたわみが発生する場合には、その張力を適宜調整することで、この皺（シワ）やたわみを無くすことができる。また、設置後も、季節変動、空調変動による室温、湿度の変化や経年変化によるシートの伸びなどによって、不燃シート７０の表面に皺（シワ）の発生した場合でも、皺（シワ）を無くすための調整を容易に行うことができる。
【０１２２】
また、図５に示すごとく、軸部材７１Ａと平行な縦縁４ｎに不燃シート７０が接触される構成とする、防煙たれ壁２とする。
【０１２３】
これにより、この縦縁４ｎに接触することで不燃シート７０に生じた皺（シワ）の縁を切ることができ、縦縁４ｎよりも外側に現れる不燃シート７０の部位を美観よく張ることが可能となる。
【０１２４】
また、図２及び図３に示すごとく、一端が枠材（シート固定機構７２）に取付けられ、他端が巻回（シート固定機構７１）される不燃シート７０を有するたれ壁であって、不燃シート７０の高さ方向の一側端は、不燃シート７０の張設方向に移動可能な移動部材９１（高さ調整機構９０）に取付けられることとする。
【０１２５】
これにより、図３に示すように、不燃シート７０を送り出しながら、一定間隔送り出したところで移動部材９１（高さ調整機構９０）で不燃シート７０を挟持しながら展開させるようにして、不燃シート７０を設置することができる。
【０１２６】
また、図７に示すように、移動部材９１は、天井面１に取付けられる枠材（上枠３）に設けられるレール部３ａに沿って移動可能であり、不燃シート７０の高さ方向の一側端は、保持部材９２を介して移動部材９１に保持され、保持部材９２と移動部材９１は、高さ調整部材（連結部材９３）により間隔が調整される、構成としている。
【０１２７】
これにより、簡易な構成で高さ調整機構９０を実現することができる。
【産業上の利用可能性】
【０１２８】
本発明は、大型店舗、オフィスビル、公共施設等の天井部分に設置される防煙たれ壁について、幅広く適用できる。
【符号の説明】
【０１２９】
１    天井面
２    防煙たれ壁
３    上枠
４    端部縦枠
５    端部縦枠
７    区画形成面体
７０    不燃シート
７１    シート固定機構
７２    シート固定機構
７５    張力調整機構
９０    張力調整機構
【図１】
2014104172.tif 000003
【図２】
2014104172.tif 000004
【図３】
2014104172.tif 000005
【図４】
2014104172.tif 000006
【図５】
2014104172.tif 000007
【図６】
2014104172.tif 000008
【図７】
2014104172.tif 000009
【図８】
2014104172.tif 000010
【図９】
2014104172.tif 000011
【図１０】
2014104172.tif 000012
【図１１】
2014104172.tif 000013